(57)【要約】  【課題】  小型化を容易にする。  【解決手段】  汚濁液噴出装置は、汚濁液を貯蔵する貯蔵容器２と、ガス発生器４と、貯蔵容器２を収容する耐圧容器６と、遮熱板１０と、液噴射ノズル８とを備える。ガス発生器４は、ガス排出口７０を有し、起動信号の入力があるとガスを発生させる。貯蔵容器２は、ガス発生器４がガスを発生させるとガスの圧力によって押しつぶされる。貯蔵容器２のうち汚濁液放出部４２は、ガスの圧力によって貯蔵容器２が押しつぶされる際、汚濁液を耐圧容器６内に放出させる。放出された汚濁液は、液噴射ノズル８から噴射対象物に噴射される。汚濁液噴出装置が、Ｏリング１２をさらに備える。Ｏリング１２は、ガスの圧力によって貯蔵容器２が押しつぶされる際、耐圧容器６の内部から外部へガスが漏出することを防止する。【選択図】      図１
2010170376.tif 000002
【特許請求の範囲】
【請求項１】
汚濁液を貯蔵する貯蔵容器と、
ガス排出口を有し、起動信号の入力があるとガスを発生させ、前記ガス排出口から前記ガスを排出するガス発生器と、
前記貯蔵容器を収容し、前記ガス排出口が接続され、かつ、前記ガス発生器が発生させたガスの圧力に耐える耐圧容器と、
前記耐圧容器の中で、前記貯蔵容器と前記ガス排出口との間にあたる位置に収容される遮熱板と、
前記耐圧容器の内部と連通し、前記貯蔵容器から前記汚濁液が放出されると、前記汚濁液を噴射対象物に噴射する液噴射ノズルとを備える汚濁液噴出装置であって、
前記貯蔵容器は、前記ガス発生器が前記ガスを発生させると、前記ガスの圧力によって押しつぶされ、
前記耐圧容器が、
前記貯蔵容器の一部および前記遮熱板を収容する収容部と、
前記貯蔵容器の残部を収容し、かつ、前記収容部と前記液噴射ノズルとを連通させる連通部とを有しており、
前記連通部は、前記収容部の内壁の一部である内壁開口を介して前記収容部と連通しており、
前記貯蔵容器は、
前記収容部内に収容され、前記汚濁液を貯蔵する貯蔵部と、
前記貯蔵部から突出し、前記貯蔵部と連通しており、かつ、少なくとも先端部分が前記連通部内に収容される、汚濁液放出部とを有しており、
前記汚濁液放出部が、前記ガスの圧力によって前記貯蔵部が押しつぶされたことに応じて、前記貯蔵部内の前記汚濁液を前記連通部内に放出させ、
前記汚濁液噴出装置が、前記連通部の内部および前記内壁開口の外周のうち少なくとも一方と前記貯蔵容器との間に配置される漏出防止部をさらに備え、
前記貯蔵部が押しつぶされる際、前記漏出防止部が、前記汚濁液放出部の外周と前記連通部の内周との間から前記耐圧容器の外部へ前記ガスが漏出することを防止することを特徴とする、汚濁液噴出装置。
【請求項２】
前記汚濁液放出部は、
前記貯蔵部に直接連通する付け根部と、
前記付け根部に接続され、前記付け根部を介して前記貯蔵部に連通するくびれ部と、
前記くびれ部に接続され、前記くびれ部および前記付け根部を介して前記貯蔵部に連通し、かつ、放出孔が設けられている先端部と、
前記放出孔を塞ぐように前記先端部に貼られる箔とを有し、
前記漏出防止部が、前記くびれ部の外周に嵌められ、前記連通部の内面と前記汚濁液放出部の外面との間を前記ガスが通過しないように遮断するシール材を有することを特徴とする、請求項１に記載の汚濁液噴出装置。
【発明の詳細な説明】
【技術分野】
【０００１】
本発明は、汚濁液噴出装置に関し、特に、汚濁液を噴出する汚濁液噴出装置に関する。
【背景技術】
【０００２】
特許文献１は、汚濁液噴出装置を開示する。この汚濁液噴出装置は、ガス発生器と、貯蔵容器と、液噴射ノズルとを備える。ガス発生器は、起動信号が入力されるとガスを発生させる。液噴射ノズルは、貯蔵容器に配管を介して繋がれ、紙幣に向けて汚濁液を吹き付ける。貯蔵容器の内部空間は、ガス充填室と、汚濁液収納袋内蔵室とに、可動円板を介して区画されている。ガス充填室には、ガス発生器からのガスが充填される。汚濁液収納袋内蔵室には、汚濁液が収納された汚濁液収納袋が内蔵される。可動円板は、貯蔵容器内を容器軸方向に移動可能で、断熱性を有する。可動円板は、ガス発生器から発生するガス圧により汚濁液収納袋内蔵室の方へ移動可能である。汚濁液収納袋内蔵室内のガス充填室側とは反対側の開口端部は口栓で塞がれる。口栓は、配管と連通する液出口を有する。液出口の汚濁液収納袋内蔵室に臨む口先部が汚濁液収納袋を破断するよう鋭利なエッジ状に形成されている。口栓の汚濁液収納袋内蔵室に面する内面上であって口先部の外周に対応する部分と、当該部分に接する汚濁液収納袋の底部とは、接着剤で固着されている。
【０００３】
特許文献１によれば、液漏れの発生や不測に紙幣が汚される事態の発生を防止できる。
【先行技術文献】
【特許文献】
【０００４】
【特許文献１】特開２００６−１５９０１４号公報
【発明の概要】
【発明が解決しようとする課題】
【０００５】
しかし、特許文献１に開示された発明では、あるレベル以上に小型化することが難しいという問題点がある。そのレベル以上に小型化しようとすると、汚濁液の噴射が不十分になってしまう。
【０００６】
本発明は上述の問題点を解決するためになされたものであって、その目的は、小型化が容易な汚濁液噴出装置を提供することにある。
【課題を解決するための手段】
【０００７】
図面を参照して本発明の汚濁液噴出装置を説明する。なお、この欄で図中の符号を使用したのは、発明の内容の理解を助けるためであって、発明の内容を図示した範囲に限定する意図ではない。
【０００８】
上記目的を達成するために、本発明のある局面に従うと、汚濁液噴出装置は、貯蔵容器２と、ガス発生器４と、耐圧容器６と、遮熱板１０と、液噴射ノズル８とを備える。貯蔵容器２は、汚濁液を貯蔵する。ガス発生器４は、ガス排出口７０を有し、起動信号の入力があるとガスを発生させ、ガス排出口７０からガスを排出する。耐圧容器６は、貯蔵容器２を収容する。耐圧容器６には、ガス排出口７０が接続される。耐圧容器６は、ガス発生器４が発生させたガスの圧力に耐える。遮熱板１０は、耐圧容器６の中で、貯蔵容器２とガス排出口７０との間にあたる位置に収容される。液噴射ノズル８は、耐圧容器６の内部と連通し、貯蔵容器２から汚濁液が放出されると、噴射対象物に汚濁液を噴射する。貯蔵容器２は、ガス発生器４がガスを発生させると、ガスの圧力によって押しつぶされる。耐圧容器６は、収容部２２と、連通部２４とを有する。収容部２２は、貯蔵容器２の一部および遮熱板１０を収容する。連通部２４は、貯蔵容器２の残部を収容し、かつ、収容部２２と液噴射ノズル８とを連通させる。連通部２４は、内壁開口８０を介して収容部２２と連通している。内壁開口８０は、収容部２２の内壁の一部である。貯蔵容器２は、貯蔵部４０と、汚濁液放出部４２とを有する。貯蔵部４０は、収容部２２内に収容される。貯蔵部４０は、汚濁液を貯蔵する。汚濁液放出部４２は、貯蔵部４０から突出し、貯蔵部４０と連通しており、かつ、少なくとも先端部分が連通部２４内に収容される。汚濁液放出部４２が、ガスの圧力によって貯蔵部４０が押しつぶされたことに応じて、貯蔵部４０内の汚濁液を連通部２４内に放出させる。汚濁液噴出装置が、漏出防止部１２をさらに備える。漏出防止部１２は、連通部２４の内部および内壁開口８０の外周のうち少なくとも一方と貯蔵容器２との間に配置される。貯蔵部４０が押しつぶされる際、漏出防止部１２が、汚濁液放出部４２の外周と連通部２４の内周との間から耐圧容器６の外部へガスが漏出することを防止する。
【０００９】
ガス発生器４は、起動信号の入力があるとガスを発生させ、そのガスを排出する。貯蔵容器２は、ガス発生器４がガスを発生させるとガスの圧力によって押しつぶされる。汚濁液放出部４２が、ガスの圧力によって貯蔵部４０が押しつぶされたことに応じて、貯蔵部４０内の汚濁液を連通部２４内に放出させる。このとき、漏出防止部１２が、汚濁液放出部４２の外周と連通部２４の内周との間から耐圧容器６の外部へガスが漏出することを防止しているので、漏出防止部１２が備えられていない場合に比べ、耐圧容器６の内部の圧力は高くなる。圧力が高くなる分、貯蔵容器２はよく押しつぶされる。よく押しつぶされる分、ガス発生後に貯蔵容器２内に残留する汚濁液は少なくなる。残留する汚濁液が少なくなる分、貯蔵容器２が貯蔵する汚濁液の量は少なくて済む。その結果、汚濁液噴出装置の小型化は容易になる。
【００１０】
また、上述した汚濁液放出部４２が、付け根部５０と、くびれ部５２と、先端部５４と、箔５６とを有することが望ましい。付け根部５０は、貯蔵部４０に直接連通する。くびれ部５２は、付け根部５０に接続される。くびれ部５２は、付け根部５０を介して貯蔵部４０に連通する。先端部５４は、くびれ部５２に接続される。先端部５４は、くびれ部５２および付け根部５０を介して貯蔵部４０に連通する。先端部５４には、放出孔６０が設けられている。箔５６は、放出孔６０を塞ぐように先端部５４に貼られる。
【発明の効果】
【００１１】
本発明にかかる汚濁液噴出装置は、容易に小型化できる。
【図面の簡単な説明】
【００１２】
【図１】本発明の実施形態にかかる汚濁液噴出装置を示す断面図である。
【図２】本発明の実施形態にかかる汚濁液放出部を、その一部を破断した状態で示す拡大図である。
【発明を実施するための形態】
【００１３】
以下、図面を参照しつつ、本発明の実施形態について説明する。以下の説明では、同一の部品には同一の符号を付してある。それらの名称および機能も同一である。したがって、それらについての詳細な説明は繰返さない。
【００１４】
図１は、本発明の一実施形態にかかる汚濁液噴出装置を示す断面図である。図２は、本実施形態にかかる汚濁液放出部４２を、その一部を破断した状態で示す拡大図である。
【００１５】
図１を参照しつつ、本実施例にかかる汚濁液噴出装置の構成を説明する。本実施例にかかる汚濁液噴出装置は、ＡＴＭ（Automated Teller Machine）装置の現金収納ケース内に設置される。図１に示すように、本実施例にかかる汚濁液噴出装置は、貯蔵容器２と、ガス発生器４と、鋳物製の耐圧容器６と、この耐圧容器６に繋がれる液噴射ノズル８と、遮熱板１０とを備える。
【００１６】
貯蔵容器２は着色インク等の汚濁液を貯蔵する。本実施形態における貯蔵容器２は、ポリエチレンなど樹脂製の袋である。ガス発生器４は、制御装置１４から起動信号の入力があると、ガスを発生させ、後述するガス排出口７０からそのガスを排出する。耐圧容器６は、貯蔵容器２を収容する。耐圧容器６には、ガス発生器４のうち、後述するガス排出口７０が接続される。本実施形態にかかる耐圧容器６は鋳鉄製である。これは、ガス発生器４が発生させたガスの圧力に耐圧容器６が耐える（その結果、貯蔵容器２から汚濁液が十分に押し出されるまで、少なくともガス漏れが生じない）だけの強度を有している必要があるためである。逆に言えば、ガス発生器４が発生させたガスの圧力に耐えられるのであれば、耐圧容器６の素材は鋳鉄に限定されない。液噴射ノズル８は、噴射対象物（本実施形態においては、現金収納ケース内の図示しない紙幣が噴射対象物である。もちろん、噴射対象物は、証券など紙幣以外の物であってもよい。）に向けて上述した汚濁液を吹き付ける。遮熱板１０は熱を遮る。遮熱板１０が備えられるのは、ガス発生器４がガスを発生させる際に生じる火炎（本実施形態においては、この炎は、ガス排出口７０からガスと共に噴出する）から貯蔵容器２を守るためである。また、遮熱板１０は、耐圧容器６の中でスライド可能である。当然、遮熱板１０は、ガス発生器４がガスを発生させる際に、貯蔵容器２を押しつぶす方向へ移動する。このため、遮熱板１０は、薄肉の軽量な材料で形成されることが望ましい。具体的に述べると、遮熱板１０は、マイカや難燃性コーティング紙などの素材からなることが望ましい。
【００１７】
本実施形態にかかる耐圧容器６は角筒状に形成される。耐圧容器６の内部空間は、ガス充填室２０と、貯蔵容器収容室２２と、連通室２４とに区画されている。ガス充填室２０は、通気孔２６を介して貯蔵容器収容室２２に連通している。貯蔵容器収容室２２は、その内壁に設けられた内壁開口８０（内壁開口８０は図２に示されている）を介して連通室２４と連通している。また、貯蔵容器収容室２２は、連通室２４を介して液噴射ノズル８に連通している。ガス充填室２０内に、上述したガス発生器４の先端部分（後述する発熱部３０）が収容されている。貯蔵容器収容室２２に、貯蔵容器２の一部（後述する汚濁液放出部４２）と遮熱板１０とが収容される。連通室２４には、貯蔵容器２の残部（後述する貯蔵部４０）が収容される。遮熱板１０は、通気孔２６が開口する面に対向するよう配置される。これにより、遮熱板１０は、耐圧容器６の中で、貯蔵容器２とガス発生器４（より具体的にはガス排出口７０）との間にあたる位置に収容されていることとなる。
【００１８】
ガス発生器４は、発熱部３０と、リード線３２と、スイッチ３４と、電源３６とを有する。発熱部３０は、ガス排出口７０と、アジ化ナトリウム等のガス発生剤（図示せず）と、電熱体（図示せず）とを有する。上述したように、ガス充填室２０内に発熱部３０が収容されている。ガス充填室２０内に発熱部３０が収容され、かつ、発熱部３０がガス排出口７０を有しているので、耐圧容器６にはガス排出口７０が接続されていることとなる。リード線３２は、電熱体に接続されている。リード線３２にスイッチ３４と電源３６とが接続される。スイッチ３４は、制御装置１４が起動信号を入力するとオンになる。
【００１９】
貯蔵容器２は、貯蔵部４０と、汚濁液放出部４２とを有する。貯蔵部４０は、貯蔵容器収容室２２内に収容される。汚濁液放出部４２は、貯蔵部４０から突出し、貯蔵部４０と連通しており、かつ、少なくとも先端部分が連通室２４内に収容される。貯蔵部４０と汚濁液放出部４２とは一体となっている。
【００２０】
図２を参照しつつ、本実施例にかかる汚濁液放出部４２の構成を説明する。汚濁液放出部４２は、付け根部５０と、くびれ部５２と、先端部５４と、金属箔５６とを有する。付け根部５０は、汚濁液放出部４２の付け根にあたる部分である。付け根部５０が貯蔵部４０と直接連通している部分である。くびれ部５２は、付け根部５０と先端部５４とを連通させる部分である。付け根部５０には、Ｏリング１２がはまる。なお、Ｏリング１２は、連通室２４の内面と汚濁液放出部４２の外面との間に配置され、それらの間をガス（ガス発生器４が発生させたガス）が通過しないように遮断するシール材である。先端部５４は、くびれ部５２に接続され、汚濁液が吐出される部分である。先端部５４の中でも先端にあたる部分には、放出孔６０が設けられている。金属箔５６は、放出孔６０を塞ぐように貼られている。金属箔５６の強度は低い。このため、上述したガスの圧力によって貯蔵部４０が押しつぶされると、金属箔５６は、貯蔵部４０内の汚濁液から受ける圧力によって破壊される。その結果、貯蔵部４０が押しつぶされると、放出孔６０から汚濁液が放出されることとなる。
【００２１】
以上のような構造に基づく、本実施形態にかかる汚濁液噴出装置の動作を説明する。まず、公知の不正行為検出装置１６が所定の信号を制御装置１４に入力すると、制御装置１４が制御信号をスイッチ３４に入力する。これに応じて、スイッチ３４がオンになる。
【００２２】
スイッチ３４がオンになると、電源３６からリード線３２に電力が流れ、電熱体を加熱する。その結果、ガス発生剤が化学反応を起こしてガスを一挙に噴き出す。噴き出したガスは、ガス充填室２０内に充填した後、通気孔２６を通って貯蔵容器収容室２２に噴出する。貯蔵容器収容室２２内にガスが噴出すると、そのガスの圧力によって遮熱板１０が貯蔵容器収容室２２の方へ移動する。この遮熱板１０の移動に伴い貯蔵容器２が連通室２４に向かって圧縮されると同時に、ガスが遮熱板１０の外周と耐圧容器６の内周との間の隙間から貯蔵容器２の方へ勢いよく流れ込んで貯蔵容器２全体を圧縮する。このとき、貯蔵容器収容室２２からガスが漏出することは、Ｏリング１２によって防止されている。ガスの漏出が防止されているので、貯蔵容器収容室２２の気圧は高くなる。貯蔵容器収容室２２の気圧が高くなるので、貯蔵容器２が強く圧縮される。貯蔵容器２は、強く圧縮されるので、圧縮後の体積は小さくなる。貯蔵容器２が圧縮されると、その中の汚濁液には圧力がかかる。その圧力によって上述した金属箔５６が破壊される。金属箔５６が破断することで、圧力がかかっている汚濁液は放出孔６０から勢い良く放出される。放出された汚濁液は液噴射ノズル８から噴出し、紙幣にかかる。
【００２３】
以上のようにして、本実施形態にかかる汚濁液噴出装置は、貯蔵容器２が強く圧縮され、小さくなるので、汚濁液のほとんどを液噴射ノズル８から噴出させることができる。汚濁液のほとんどが液噴射ノズル８から噴出するので、貯蔵容器２内に余分な汚濁液を貯蔵しておく必要はない。その必要がないので、汚濁液噴出装置の小型化を図ることが容易である。また、貯蔵された汚濁液に対して使用されるものの割合が高くなる。
【００２４】
今回開示された実施形態はすべての点で例示である。本発明の範囲は上述した実施形態に基づいて制限されるものではなく、本発明の趣旨を逸脱しない範囲で種々の設計変更をしてもよいのはもちろんである。
【００２５】
たとえば、Ｏリング１２に代え、その他のシール材が用いられていてもよい。シール材以外の、貯蔵容器収容室２２からガスが漏出することを防止する漏出防止部材が用いられてもよい。この場合、漏出防止部材は、くびれ部５２ではなく、内壁開口８０の外周に配置されるものであってもよい。また、その漏出防止部材とＯリング１２とが併用されてもよい。
【００２６】
また、汚濁液放出部４２の構造は、図２に示すものに限られない。たとえば、ガスの圧力によって貯蔵部４０が押しつぶされると、くびれ部５２や、先端部５４のうち中央部分が破断する構造であってもよい。汚濁液放出部４２は、弁を有していてもよい。これらの場合にも、ガスの圧力によって貯蔵部４０が押しつぶされたことに応じて、着色インク等の汚濁液が放出される。
【符号の説明】
【００２７】
２    貯蔵容器
４    ガス発生器
６    耐圧容器
８    液噴射ノズル
１０  遮熱板
１２  Ｏリング
１４  制御装置
２０  ガス充填室
２２  貯蔵容器収容室
２４  連通室
２６  通気孔
３０  発熱部
３２  リード線
３４  スイッチ
３６  電源
４０  貯蔵部
４２  汚濁液放出部
５０  付け根部
５２  くびれ部
５４  先端部
５６  金属箔
６０  放出孔
７０  ガス排出孔
８０  内壁開口
【図１】
2010170376.tif 000003
【図２】
2010170376.tif 000004